(57)【要約】【課題】  ＥＬ光乃至ＥＬ光由来の光を線状光乃至レーザー光として出射可能であり高性能な光出射装置等の提供。【解決手段】  本発明の光出射装置は、ＥＬ光を生ずる発光層、及び該発光層に生ずるＥＬ光を透過させることなく遮光しかつ該ＥＬ光を前記発光層の端部のみから放射させ、前記発光層を挟むようにして配置された一対の遮光層とを少なくとも有してなるＥＬ発光手段と、前記発光層の端部から放射される前記ＥＬ光を導光し、該ＥＬ光と同波長乃至異波長の光を出射する光出射手段とを有する。該光出射装置では、前記ＥＬ発光手段が、発光層においてＥＬ光を生じさせる。発光層に生じたＥＬ光は、一対の遮光層により遮光されるため、発光層の端面からのみ放出される。この放出されたＥＬ光は、光出射手段により導光され、ＥＬ光のまま、あるいはＥＬ光とは異なる波長の光に変調されて出射される。【選択図】        図１
2006278494.tif 000002
【特許請求の範囲】
【請求項１】
ＥＬ光を生ずる発光層、及び、該発光層を挟むようにして配置され、該発光層に生じたＥＬ光を透過させることなく遮光しかつ該ＥＬ光を前記発光層の端部のみから放射させる一対の遮光層とを少なくとも有してなるＥＬ発光手段と、
前記発光層の端部から放射される前記ＥＬ光を導光し、該ＥＬ光と同波長乃至異波長の光を出射する光出射手段と、
を有することを特徴とする光出射装置。
【請求項２】
光出射手段が、発光層の端部から放射されるＥＬ光を導光する導光部材を備えた請求項１に記載の光出射装置。
【請求項３】
導光部材が、ＥＬ光を導光する導光部と、前記ＥＬ光を導光しない非導光部とを有し、前記導光部が、発光層から放射されるＥＬ光を吸収し発光を生ずる発光材料を含む請求項２に記載の光出射装置。
【請求項４】
導光部がループ状構造を有し、導光部材が光共振器として機能する請求項３に記載の光出射装置。
【請求項５】
導光部が、発光層の外周近傍に配された請求項３から４のいずれかに記載の光出射装置。
【発明の詳細な説明】
【技術分野】
【０００１】
本発明は、エレクトロルミネッセンス（ＥＬ）発光を光源とし、該ＥＬ光乃至ＥＬ光由来光を線状光乃至レーザー光として出射させることができる光導波路型の光出射装置及び光出射方法に関する。
【背景技術】
【０００２】
従来より、線状光は多用されているが、前記線状光の中でも、特にレーザー光は、コヒーレントな光であり、高い指向性を示し、スペクトル幅がシャープであることから、各種分野において好適に使用されている。前記レーザー光の照射装置としては、例えば、ＧａＡｓ等の無機半導体の固体レーザー（半導体レーザー）を用いたダイオードレーザー装置が広く知られている。一般に、前記ダイオードレーザー装置は、注入された電子と正孔とのレーザーキャビティでの再結合に起因する発光を利用するものであるが、かかる利用には電気的条件（電位降下、オーミック損失など）及び光学的条件（屈折率差など）の両条件を充たすことが必要になる。ところが、前記無機半導体の場合、高いキャリア移動度を示すため、電位降下やオーミック損失に関してあまり大きな犠牲を払わずに比較的厚い層を用いることができ、また、屈折率差の大きな半導体材料を利用可能であるため、プレーナ導波路レーザや分布ブラッグ反射器型垂直キャビティレーザを容易に製造することができ、前記両条件を比較的容易に充たすため、該無機半導体を用いた無機半導体レーザーの開発が盛んに行われてきている。
しかしながら、該無機半導体レーザーの場合、高価であり、装置が大型化し、変調が容易ではなく、レーザー光の波長が半導体材料の種類によって特定されてしまい、任意の波長のレーザー光が得られず、用途等が限定されてしまう等の問題がある。前記半導体レーザーよりも安価であり、小型で変調が容易で、既存のレーザー光の波長とは異なる波長の線状光を出射可能な光出射装置の提供が望まれている。
【０００３】
このような状況の下、有機ＥＬ素子を用いて線状光を出射することができる装置乃至方法が提案されてきている（特許文献１参照）。ここで提案されている装置は、図４に示すように、導体層（正極）２６と、有機発光層（ＥＬ発光層）２７と、導体（負極）２８とをこの順に積層してなる平面型発光素子（有機ＥＬ素子）で構成された第一領域における有機発光層（ＥＬ発光層）２７に生じたインコヒーレントなＥＬ光を導体（負極）２８側から取り出し、このインコヒーレントなＥＬ光２９を、クラッド層３１と、コア層３２と、クラッド層３３とをこの順に積層してなる平面型光導波路で構成された第二領域におけるコア層３１内に取り込み、コア層３１内に存在する発光材料が前記ＥＬ光により励起されてコヒーレントな発光を生じ、該発光材料によるコヒーレントな光を導波させ、コア層３１の端部から出力光３３を出射させる装置が記載されている。
しかし、この装置の場合、前記有機ＥＬ素子における有機発光層２７に生じたインコヒーレントなＥＬ光の約８０％は有機発光層２７の端部から漏出してしまい、有機発光層２７における層面から前記平面型光導波路に向けて放射されるインコヒーレントなＥＬ光２９は全ＥＬ光の約２０％に過ぎないため（非特許文献１参照）、ＥＬ光２９の利用効率が低く、光の強度等が十分でない。また、光励起により、ある平面状媒質中でレーザー発振が生ずるためには、媒質全体の励起分子の量ではなく、該媒質の単位面積当たりの励起分子の密度が重要になる。ところが、この装置の場合、前記平面型光導波路は、前記有機ＥＬ発光層における層面の面積と同程度の大きさの面積を有することが必要で、必然的にその励起密度は前記有機ＥＬ発光層における励起密度と同程度であることが必要になるが、一般に、有機ＥＬ素子中の発光層の励起密度はレーザー発振に必要な励起密度よりも低いため、レーザー発振を行うことができないという問題がある。
【０００４】
また、陽電極層、正孔輸送層、有機色素材料を含む発光層、電子輸送層、陰電極層がこの順で積層されてなる有機半導体レーザーが提案されている（特許文献２参照）。この有機半導体レーザーの場合、前記陽電極層がガラス基板上に設けたＩＴＯ層などであるため、前記発光層に生じたＥＬ光に吸収損失が生じてしまうため、この吸収損失を防ぎつつ前記発光層からＥＬ光を効率よく取り出すには、前記発光層の両表面上に設けられた前記電子輸送層及び前記電子輸送層の厚みを大幅に厚くしなければならず（現状の０．１μｍから数μｍ以上に厚くする必要があり）、また、素子に注入する電流密度を大幅に上げなければならない（現状の最大１０Ａ／ｃｍ２から１０００Ａ／ｃｍ２に上げる必要がある）という問題がある。そのためには、正孔輸送層や電子輸送層の電荷輸送性を現状よりも大幅に向上させる必要があるが、このような正孔輸送層材料、電子輸送層材料を見出すことは困難である。また、この有機半導体レーザーの提案においては、前記発光層から取り出したＥＬ光の導光方法については全く開示されていないため、該有機半導体レーザーは、実用性能を担保することができず、既存のレーザー装置と同等乃至それ以上の性能を有する装置として使用することができない。
【０００５】
一方、光導波路コアと光導波路クラッドとを備えた光導波路型のレーザー光源装置も提案されているが（特許文献３及び特許文献４参照）、この場合、光源としては半導体レーザーを用いるため、上述したように、装置が高価で大型化し、レーザー光の波長が半導体材料の種類によって特定されてしまい、任意の波長のレーザー光が得られず、用途等が限定されてしまう等の問題がある。
【０００６】
このため、ＥＬ素子を光源に用いたレーザー装置は、未だ実用化に至っていないのが現状であり、ＥＬ素子を光源に用い、該有機ＥＬ素子において生じたＥＬ光をそのまま、あるいは該ＥＬ光に由来する光を線状光乃至レーザー光として出射可能であり、各種分野において好適に使用することができる光導波路型の光出射装置及び光出射方法の提供が望まれている。
【０００７】
【特許文献１】特許第３６７５６６５号
【特許文献２】特開２００２−１５６５３６
【特許文献３】特開２００２−１１１１０１
【特許文献４】特開平４−２４２９８２号公報
【非特許文献１】Ｎ．Ｃ．Ｇｒｅｅｎｈａｍ，ｅｔ．ａｌ．Ａｄｖａｎｃｅｄ  Ｍａｔｅｒｉａｌｓ，Ｖｏｌ．６，ｐ４９１（１９９４）
【発明の開示】
【発明が解決しようとする課題】
【０００８】
本発明は、従来における問題を解決し、エレクトロルミネッセンス（ＥＬ）光乃至ＥＬ光由来の光を線状光乃至レーザー光として出射することができ、前記半導体レーザーよりも安価で小型であり、既存のレーザー光の波長とは異なる波長の線状光を出射可能であり、変調も容易であり、各種分野において好適であり高性能な光出射装置及び光出射方法を提供することを目的とする。
【課題を解決するための手段】
【０００９】
本発明の光出射装置は、ＥＬ光を生ずる発光層、及び該発光層に生ずるＥＬ光を透過させることなく遮光しかつ該ＥＬ光を前記発光層の端部のみから放射させ、前記発光層を挟むようにして配置された一対の遮光層とを少なくとも有してなるＥＬ発光手段と、前記発光層の端部から放射される前記ＥＬ光を導光し、該ＥＬ光と同波長乃至異波長の光を出射する光出射手段と、を有することを特徴とする。
本発明の光出射装置においては、前記ＥＬ発光手段が、前記発光層においてエレクトロルミネッセンス（ＥＬ）光を生じさせる。即ち、該ＥＬ発光手段は、ＥＬ素子として機能する。該発光層において生じたＥＬ光は、該発光層を挟むようにして配置された前記一対の遮光層により遮光されるため、前記発光層の厚みを厚くする必要がなく、該発光層の厚みに関係なく前記発光層の端部（外周）からのみ効率よく放出される。前記ＥＬ発光手段（ＥＬ素子）における前記発光層に生じたＥＬ光が該発光層の層面から放射される場合には約２０％のＥＬ光しか該層面からは放射されないのに対し、前記発光層の端部（外周）から前記ＥＬ光が放射される場合には約８０％のＥＬ光が該端部（外周）から放射される上、更に前記発光層が一対の遮光層で挟まれていることから、本来は前記発光層の層面から放射される約２０％のＥＬ光までも前記発光層の端部（外周）から放射され、結果として、約１００％のＥＬ光が前記発光層の端部（外周）から放射される。該光出射装置においては、約１００％のＥＬ光を利用可能であることから、光の利用効率に優れる。そして、前記発光層の端部（外周）から放射された前記ＥＬ光は、前記光出射手段によって導光され、該ＥＬ光のまま、あるいは該ＥＬ光とは異なる波長の光に変調されて出射される。その結果、該光出射装置によれば、前記ＥＬ光と同波長乃至異波長の光を線状光乃至レーザー光として出射することができる。
【００１０】
本発明の光出射装置においては、光出射手段が、前記発光層の端部から放射される前記ＥＬ光を導光する導光部材を備えた態様が好ましい。該光出射装置においては、前記導光部材が備えられているため、前記ＥＬ光が外部に出射されるまでの各種損失（接続損失、伝送損失など）乃至減衰が抑制乃至低減される。なお、前記導光部が線状導波路の形態に設計された場合、前記ＥＬ発光手段（ＥＬ素子）の発光層サイズ（面積）を調節することにより、前記光出射手段から出射される光るの励起密度を所望の程度に調節することができ、該励起密度を十分に大きくすることも可能である。即ち、前記ＥＬ発光手段における前記発光層に生ずるＥＬ光の発光量は、該ＥＬ発光手段における駆動電流密度を一定とすれば、前記ＥＬ発光手段の半径の２乗に比例する、該ＥＬ発光手段の発光層サイズ（面積）に比例するのに対し、該ＥＬ発光手段に対向して位置する（該ＥＬ発光手段を取り囲むようにして位置する）前記線状導波路の長さは、前記ＥＬ発光手段の半径の１乗に比例するため、該ＥＬ発光手段における発光層サイズ（面積）が大きくなる程、前記線状導波路における励起密度は単調に増加する。その結果、該光出射装置においては、前記ＥＬ発光手段における発光層サイズ（面積）を適宜調節することにより、該光出射装置から出射される光をレーザー光とする（レーザー発振させる）ことができる。
【００１１】
また、本発明の光出射装置においては、前記導光部材が、前記ＥＬ光を導光する導光部と、前記ＥＬ光を導光しない非導光部とを有し、前記導光部が、前記発光層から放射される前記ＥＬ光を吸収し発光を生ずる発光材料を含む態様が好ましい。該光出射装置においては、前記導光部において、前記発光材料が前記ＥＬ光を吸収して励起状態となり、基底状態に戻るときに発光を生ずる（前記ＥＬ光が該ＥＬ光とは異波長の光に変調乃至増幅される）。このため、外部に前記ＥＬ光とは異波長の光が誘導放出（出射）される結果、出射光の強度、明るさ等に優れる。なお、このとき、前記ＥＬ発光手段（ＥＬ素子）における前記発光層に注入する電流注入量を増加していくと、該発光層において生ずるＥＬ光の強度乃至光量が増大するが、このＥＬ光の強度乃至光量の増大に伴って前記発光材料の励起密度も増大する。そして、前記発光材料の励起密度が閾値を超えると、レーザー発振が生ずる。このとき、該光出射装置からはレーザー光が出射される。
【００１２】
また、本発明の光出射装置においては、前記導光部がループ状構造を有し、前記導光部材が光共振器として機能する態様が好ましい。該光出射装置においては、前記導光部がループ状構造を有するため、前記ＥＬ光が該導光部内に導光された際、該ＥＬ光が該導光部内を周回する。そして、周回する光が、その位相と元の位相と一致する条件において共振が起こり、その共振条件の波長のレーザー光となり、該光出射装置からレーザー光が出射可能となる。
【００１３】
また、本発明の光出射装置においては、前記非導光部の屈折率が、前記導光部の屈折率よりも低い態様が好ましい。該光出射装置においては、前記ＥＬ光が、前記導光部の周囲から外部に漏出しようとしても、前記導光部と前記非導光部との屈折率差により、前記非導光部に進入することなく、該導光部と該非導光部との界面で反射されて該導光部内を進行する。このため、前記導光部は光導波路として機能し、該導光部内を進行する光の外部への漏出が効果的に抑制され、前記導光部内に導光する光の損失（例えば、伝送損失）乃至減衰が低減乃至抑制され、光強度の大きな光が出射可能である。
【００１４】
また、本発明の光出射装置においては、前記導光部が、前記発光層の外周近傍に配された態様が好ましい。該光出射装置においては、前記発光層の端部（外周）から放射される前記ＥＬ光が、効率的に損失（例えば、接続損失）乃至減衰を生ずることなく前記導光部内に導光される。
【００１５】
また、本発明の光出射装置においては、前記導光部材が、前記導光部の外周近傍に、前記発光層から放射される前記ＥＬ光であって前記導光部を透過したものを前記導光部に向けて反射する光反射部材を有してなる態様が好ましい。該光出射装置においては、前記発光層の端部（外周）から放射される前記ＥＬ光のうち、前記導光部に取り込まれず該導光部を透過したものが、前記導光部に向けて反射される。このため、前記発光層の端部から放射される前記ＥＬ光の損失（例えば、接続損失）乃至減衰を生ずることなく効率的に前記導光部によって導光される。
【００１６】
また、本発明の光出射装置においては、光出射手段が、前記導光部から光を取り出す光取出部を有する態様が好ましい。該光出射装置においては、前記光取出部が前記導光部から光を取り出し、前記光出射手段により外部に光が線状光乃至レーザー光として出射される。
【００１７】
また、本発明の光出射装置においては、ＥＬ発光手段がＥＬ素子である態様が好ましい。該光出射装置においては、前記ＥＬ発光手段が前記ＥＬ素子であるので、前記ＥＬ発光の波長等が任意に選択可能である。
【００１８】
本発明の光出射方法は、ＥＬ発光を生ずる発光層の端部からＥＬ光を放射させるＥＬ光放射工程と、前記発光層から放射された前記ＥＬ光を導光し、該ＥＬ光と同波長乃至異波長の光を出射させる光出射工程とを含むことを特徴とする。
本発明の光出射方法では、前記ＥＬ光放射工程において、前記発光層の端部（外周）からエレクトロルミネッセンス（ＥＬ）光を放射させる。そして、前記光出射工程において、前記発光層から放射された前記ＥＬ光を導光し、この導光したＥＬ光をそのまま、あるいは異波長の光に変調してから外部に出射させる。以上により、前記ＥＬ光と同波長乃至異波長の光を外部に線状光乃至レーザー光として出射させることができる。
【発明の効果】
【００１９】
本発明によると、従来における問題を解決することができ、エレクトロルミネッセンス（ＥＬ）光乃至ＥＬ光由来の光を線状光乃至レーザー光として出射することができ、前記半導体レーザーよりも安価で小型であり、既存のレーザー光の波長とは異なる波長の線状光を出射可能であり、変調も容易であり、各種分野において好適であり高性能な光出射装置及び光出射方法を提供することができる。
【発明を実施するための最良の形態】
【００２０】
（光出射装置及び光出射方法）
本発明の光出射装置は、ＥＬ発光手段と、光出射手段と、更に必要に応じて適宜選択したその他の手段を有してなる。
本発明の光出射方法は、ＥＬ光放射工程と、光出射工程と、更に必要に応じて適宜選択したその他の工程とを含む。前記ＥＬ光放射工程は、前記ＥＬ発光手段により好適に行うことができ、前記光出射工程は、前記光出射手段により好適に行うことができ、前記その他の工程は、前記その他の手段により好適に行うことができる。このため、本発明の光出射方法は、本発明の前記光出射装置により好適に実施することができ、本発明の前記光出射装置を実施すると本発明の光出射方法を実施することになる。
以下、本発明の光出射装置について詳細に説明すると共に、その説明を通じて本発明の前記光出射方法の内容をも明らかにする。
【００２１】
−ＥＬ光放射手段及びＥＬ光放射工程−
前記ＥＬ光放射手段としては、少なくとも発光層を有し、該発光層の端部（外周）からＥＬ光を放射させることができる限り特に制限はなく、目的に応じて適宜選択することができるが、例えば、ＥＬ素子などが好適に挙げられる。
前記ＥＬ素子としては、例えば、無機ＥＬ素子、有機ＥＬ素子、などが挙げられる。これらは、単独で使用してもよいし、併用してもよく、これらの中でも、発光効率に優れる点で、有機ＥＬ素子が好ましい。
前記ＥＬ素子の形状乃至構造としては、特に制限はなく、目的に応じて適宜選択することができるが、例えば、平面型（発光素子）であるのが好ましい。
前記ＥＬ素子の層構成としては、特に制限はなく、目的に応じて適宜選択することができ、例えば、発光層、一対の遮光層、電極層などを有してなり、更に必要に応じて適宜選択したその他の層を有してなる。
前記ＥＬ光放射工程は、ＥＬ発光を生ずる発光層の端部からＥＬ光を放射させる工程である。該ＥＬ光放射工程は、前記ＥＬ光放射手段により好適に行うことができる。
【００２２】
−−発光層−−
前記発光層としては、前記エレクトロルミネッセンス（ＥＬ）光を生ずることができる限り特に制限はなく、目的に応じて適宜選択することができ、例えば、無機材料で形成されていてもよいし、有機材料で形成されていてもよい。なお、前記ＥＬ素子が前記有機ＥＬ素子である場合には、該発光層は前記有機材料で形成される。また、前記発光層は、発光層として単機能に形成されているものであってもよいし、発光層兼電子輸送層、発光層兼正孔輸送層、などのように多機能に形成されているものであってもよい。
【００２３】
前記発光層としては、特に制限はなく、目的に応じて適宜選択することができるが、例えば、発光材料（発光物質乃至発光分子）を含有するのが好ましい。この場合、前記発光層は、前記発光材料を単独で形成されていてもよいし、該発光材料以外に他の材料、例えば、前記発光材料をゲスト材料としたとき、発光波長が該ゲスト材料の光吸収波長付近にあるホスト材料を含んで形成されていてもよい。なお、該ホスト材料は、前記発光層に含有されているのが好ましいが、後述する正孔輸送層、後述する電子輸送層、などに含有されていてもよい。
【００２４】
前記ゲスト材料と前記ホスト材料とを併用する場合、前記ＥＬ光が生ずる際、まず、前記ホスト材料が励起される。そして、該ホスト材料の発光波長と、前記ゲスト材料（前記発光材料）の吸収波長とが重なり合うので、該ホスト材料から該ゲスト材料へと励起エネルギーが効率的に移動し、該ホスト材料は発光することなく基底状態に戻り、励起状態となった該ゲスト材料（前記発光材料）のみが励起エネルギーを光として放出するため、発光効率・色純度等に優れる。
また、一般に薄膜中に発光分子が単独又は高濃度で存在する場合には、発光分子どうしが接近することにより発光分子間で相互作用が生じ、「濃度消光」と呼ばれる発光効率が低下する現象が起こるが、前記ゲスト材料と前記ホスト材料とを併用する場合、前記ゲスト化合物である前記発光材料が、前記ホスト化合物中に比較的低濃度で分散されているので、前記「濃度消光」が効果的に抑制され、発光効率に優れる点で有利である。更に、前記ゲスト材料と前記ホスト材料とを前記発光層において併用する場合には、前記ホスト材料が一般に製膜性に優れるので、発光特性を維持しつつ製膜性に優れる点で有利である。
【００２５】
前記発光材料（発光物質乃至発光分子）乃至前記ゲスト材料としては、特に制限はなく、目的に応じて適宜選択することができるが、例えば、蛍光発光材料、りん光発光材料、などが挙げられる。
前記蛍光発光材料としては、例えば、以下に示す、ペリレン、１，３，６，８−テトラフェニルピレン、ルブレン等の多環式芳香族化合物及びその誘導体、などが挙げられる。また、前記りん光発光材料としては、例えば、以下に示す、トリス（２−フェニルピリジン）イリジウム等のイリジウム錯体、白金（３，５−ジピリジルトルエン）フェノキシド等の白金錯体、などが挙げられる。
これらの発光材料乃至ゲスト材料としては、１種単独で使用してもよいし、２種以上を併用してもよい。これらの中でも、前記ＥＬ発光手段（ＥＬ素子）としての発光効率に優れる点で、トリス（２−フェニルピリジン）イリジウム、白金（３，５−ジピリジルトルエン）フェノキシド等のりん光発光材料が好ましい。
【００２６】
【化１】
2006278494.tif 000003
【００２７】
【化２】
2006278494.tif 000004
【００２８】
【化３】
2006278494.tif 000005
【００２９】
【化４】
2006278494.tif 000006
【００３０】
【化５】
2006278494.tif 000007
【００３１】
前記ホスト材料としては、特に制限はなく、目的に応じて適宜選択することができるが、発光波長が該ゲスト材料の光吸収波長付近にあるものが好ましく、例えば、下記構造式（１）で表される芳香族アミン誘導体、下記構造式（２）で表されるカルバゾール誘導体、下記構造式（３）で表されるオキシン錯体、下記構造式（４）で表される１，３，６，８−テトラフェニルピレン化合物、下記構造式（５）で表される４，４’−ビス（２，２’−ジフェニルビニル）−１，１’−ビフェニル（ＤＰＶＢｉ）（主発光波長＝４７０ｎｍ）、下記構造式（６）で表されるｐ−セシキフェニル（主発光波長＝４００ｎｍ）、下記構造式（７）で表される９，９’−ビアントリル（主発光波長＝４６０ｎｍ）、後述のポリマー材料、などが好適に挙げられる。
【００３２】
【化６】
2006278494.tif 000008
【００３３】
前記構造式（１）中、ｎは、２又は３の整数を表す。Ａｒは、２価若しくは３価の芳香族基又は複素環式芳香族基を表す。Ｒ７及びＲ８は、互いに同一であってもよいし、異なっていてもよく、１価の芳香族基又は複素環式芳香族基を表す。前記１価の芳香族基又は複素環式芳香族基としては、特に制限はなく目的に応じて適宜選択することができる。
前記構造式（１）で表される芳香族アミン誘導体の中でも、下記構造式（１）−１で表されるＮ，Ｎ’−ジナフチル−Ｎ，Ｎ’−ジフェニル−［１，１’−ビフェニル］−４，４’−ジアミン（ＮＰＤ）（主発光波長＝４３０ｎｍ）及びその誘導体が好ましい。
【００３４】
【化７】
2006278494.tif 000009
【００３５】
【化８】
2006278494.tif 000010
【００３６】
前記構造式（２）中、Ａｒは、以下に示す、芳香族環を含む２価若しくは３価の基、又は、複素環式芳香族環を含む２価若しくは３価の基を表す。
【化９】
2006278494.tif 000011
【００３７】
これらは、非共役性の基で置換されていてもよく、また、Ｒは、連結基を表し、例えば以下のものが好適に挙げられる。
【００３８】
【化１０】
2006278494.tif 000012
【００３９】
前記構造式（２）中、Ｒ９及びＲ１０は、それぞれ独立に、水素原子、ハロゲン原子、アルキル基、アラルキル基、アルケニル基、アリール基、シアノ基、アミノ基、アシル基、アルコキシカルボニル基、カルボキシル基、アルコキシ基、アルキルスルホニル基、水酸基、アミド基、アリールオキシ基、芳香族炭化水素環基、又は芳香族複素環基を表し、これらは置換基で更に置換されていてもよい。
【００４０】
前記構造式（２）中、ｎは、整数を表し、２又は３が好適に挙げられる。
前記構造式（２）で表されるカルバゾール誘導体の中でも、Ａｒが、ベンゼン環が単結合を介して２つ連結された芳香族基であり、Ｒ９及びＲ１０が水素原子であり、ｎ＝２であるもの、即ち、下記構造式（２）−１で表される４，４’−ビス（９−カルバゾリル）−ビフェニル（ＣＢＰ）（主発光波長＝３８０ｎｍ）及びその誘導体から選択されるものが、発光効率等に特に優れる点で好ましい。
【００４１】
【化１１】
2006278494.tif 000013
【００４２】
【化１２】
2006278494.tif 000014
【００４３】
前記構造式（３）中、Ｒ１１は、水素原子、ハロゲン原子、アルキル基、アラルキル基、アルケニル基、アリール基、シアノ基、アミノ基、アシル基、アルコキシカルボニル基、カルボキシル基、アルコキシ基、アルキルスルホニル基、水酸基、アミド基、アリールオキシ基、芳香族炭化水素環基、又は芳香族複素環基を表し、これらは置換基で更に置換されていてもよい。
【００４４】
前記構造式（３）で表されるオキシン錯体の中でも、下記構造式（３）−１で表されるアルミニウムキノリン錯体（Ａｌｑ）（主発光波長＝５３０ｎｍ）が好ましい。
【００４５】
【化１３】
2006278494.tif 000015
【００４６】
【化１４】
2006278494.tif 000016
【００４７】
前記構造式（４）中、Ｒ１２〜Ｒ１５は、互いに同一であってもよいし、異なっていてもよく、水素原子又は置換基を表す。該置換基としては、例えば、アルキル基、シクロアルキル基又はアリール基が好適に挙げられ、これらは更に置換基で置換されていてもよい。
前記構造式（４）で表される１，３，６，８−テトラフェニルピレンの中でも、Ｒ１２〜Ｒ１５が水素原子である、即ち、下記構造式（４）−１で表される１，３，６，８−テトラフェニルピレン（主発光波長＝４４０ｎｍ）が、発光効率等に特に優れる点で好ましい。
【００４８】
【化１５】
2006278494.tif 000017
【００４９】
【化１６】
2006278494.tif 000018
【００５０】
【化１７】
2006278494.tif 000019
【００５１】
【化１８】
2006278494.tif 000020
【００５２】
前記ポリマー材料であるホスト材料としては、特に制限はなく、目的に応じて適宜選択することができるが、例えば、下記構造式で表される、ポリパラフェニレンビニレン（ＰＰＶ）、ポリチオフェン（ＰＡＴ）、ポリパラフェニレン（ＰＰＰ）、ポリビニルカルバゾール（ＰＶＣｚ）、ポリフルオレン（ＰＦ）、ポリアセチレン（ＰＡ）及びこれらの誘導体から選択されるのが好ましい。
【００５３】
【化１９】
2006278494.tif 000021
【００５４】
前記構造式中、Ｒは、水素原子、ハロゲン原子、アルコキシ基、アミノ基、アルキル基、シクロアルキル基、窒素原子や硫黄原子を含んでいてもよいアリール基、又はアリールオキシ基を表し、これらは置換基で置換されていてもよい。ｘは、整数を表す。
【００５５】
前記ポリマー材料であるホスト材料の中でも、該ホスト材料から前記ゲスト材料へのエネルギー移動が効率よく行われる点で下記構造式（８）で表されるポリビニルカルバゾール（ＰＶＣｚ）が好ましい。
【００５６】
構造式（８）
2006278494.tif 000022
【００５７】
前記構造式（８）中、Ｒ１７及びＲ１８は、環状構造の任意の位置に付与されたそれぞれ複数の置換基を表し、それぞれ独立に水素原子、ハロゲン原子、アルコキシ基、アミノ基、アルキル基、シクロアルキル基、窒素原子や硫黄原子を含んでいてもよいアリール基、又はアリールオキシ基を表し、これらは置換基で置換されていてもよい。該Ｒ１７及びＲ１８は、任意の隣接する置換位置がお互い結合して、窒素原子、硫黄原子、酸素原子を含んでいてもよい芳香族環を形成してもよく、これらは置換基で置換されていてもよい。ｘは、整数を表す。
前記ポリマー材料であるホスト材料を使用する場合、該ホスト材料を溶媒中に溶解し、前記ゲスト材料を混合して塗布液を調製した後、該塗布液を、スピンコート法、インクジェット法、ディップコート法、ブレードコート法などの湿式製膜手法にて塗布することができる。このとき、塗布形成される層の電荷輸送性を高める目的で、該層の上に、正孔輸送層材料及び電子輸送層材料を同時に溶液中に混合し、製膜することもできる。これらの湿式製膜手法は、特に多機能な前記発光層を１層（正孔輸送層兼電子輸送層兼発光層）に形成する場合に好適である。
【００５８】
前記発光層における前記発光材料の含有層としては、特に制限はなく、目的に応じて適宜選択することができ、例えば、０．１〜５０質量％であるのが好ましく、０．５〜２０質量％であるのがより好ましい。
前記含有量が、０．１質量％未満であると、寿命・発光効率等が十分でないことがあり、５０質量％を超えると、色純度が低下することがあり、一方、前記より好ましい範囲であると、寿命・発光効率等に優れる点で好ましい。
なお、前記発光層が発光層兼電子輸送層、発光層兼正孔輸送層などのように多機能に形成されている場合には、これらの層における前記発光材料の含有量も、上記同様とすることができる。
【００５９】
前記発光層は、電界印加時に、後述する、正極層、正孔注入層、正孔輸送層等から正孔を注入することができ、後述する、負極層、電子注入層、電子輸送層等から電子を注入することができ、更に該正孔と該電子との再結合の場を提供し、該再結合の際に生ずる再結合エネルギーにより、発光を示す前記発光材料（発光物質乃至発光分子）を発光させる機能を有していればよい。
【００６０】
前記発光層は、公知の方法に従って形成することができ、例えば、蒸着法、湿式製膜法、ＭＢＥ（分子線エピタキシー）法、クラスターイオンビーム法、分子積層法、ＬＢ法、印刷法、転写法、などにより好適に形成することができる。
これらの中でも、有機溶媒を用いず廃液処理の問題がなく、低コストで簡便かつ効率的に製造することができる点で蒸着法が好ましいが、前記発光層を単層構造に形成する場合、例えば、該発光層を正孔輸送層兼発光層兼電子輸送層等として形成する場合には湿式製膜法も好ましい。
【００６１】
前記蒸着法としては、特に制限はなく、目的に応じて公知のものの中から適宜選択することができるが、例えば、真空蒸着法、抵抗加熱蒸着、化学蒸着法、物理蒸着法、などが挙げられ、該化学蒸着法としては、例えば、プラズマＣＶＤ法、レーザーＣＶＤ法、熱ＣＶＤ法、ガスソースＣＶＤ法などが挙げられる。前記蒸着法による前記発光層の形成は、例えば、前記発光材料を真空蒸着することにより、該発光層が前記発光材料（前記ゲスト材料）以外に前記ホスト材料を含有する場合には該発光材料（該ゲスト材料）及び該ホスト材料を真空蒸着による同時蒸着することにより、好適に行うことができる。前者の場合は、共蒸着の必要がない点で製造が容易である。
前記湿式製膜法としては、特に制限はなく、目的に応じて公知のものの中から適宜選択することができるが、例えば、インクジェット法、スピンコート法、ニーダーコート法、バーコート法、ブレードコート法、キャスト法、ディップ法、カーテンコート法などが挙げられる。
前記湿式製膜法の場合、前記発光層の材料を樹脂成分と共に溶解乃至分散させた溶液を用いる（塗布等する）ことができ、該樹脂成分としては、例えば、ポリビニルカルバゾール、ポリカーボネート、ポリ塩化ビニル、ポリスチレン、ポリメチルメタクリレート、ポリエステル、ポリスルホン、ポリフェニレンオキシド、ポリブタジエン、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコーン樹脂、などが挙げられる。
前記湿式製膜法による前記発光層の形成は、例えば、前記発光材料（前記ゲスト材料）及び必要に応じて用いる前記樹脂材料を溶剤に溶液（塗布液）を用いる（塗布し乾燥する）ことにより、該発光層が前記発光材料（前記ゲスト材料）以外に前記ホスト材料を含有する場合には該発光材料（該ゲスト材料）、該ホスト材料及び必要に応じて用いる前記樹脂材料を溶剤に溶解した溶剤に溶液（塗布液）を用いる（塗布し乾燥する）ことにより、好適に行うことができる。
【００６２】
前記発光層の厚みとしては、特に制限はなく、目的に応じて適宜選択することができ、例えば、５〜８０ｎｍが好ましく、１０〜４０ｎｍがより好ましい。
前記発光層の厚みが、前記好ましい数値範囲であると、該発光層に生じたＥＬ光の発光効率・発光輝度・色純度が十分であり、前記より好ましい数値範囲であるとそれが顕著である点で有利であり、一方、５ｎｍ未満であると、発光効率が低下してしまうことがあり、８０ｎｍを超えると、駆動電圧が顕著に上昇してしまうことがある。
【００６３】
−−一対の遮光層−−
前記一対の遮光層としては、前記発光層に生じた前記ＥＬ光を透過させず遮光することができる限り特に制限はなく、目的に応じて適宜選択することができ、例えば、後述する、電極層（負極層、正極層）、正孔注入層、正孔輸送層、電子ブロッキング層、正孔ブロッキング層、電子輸送層、電子注入層、保護層、光反射層、基板などから選択される２層であるのが好ましい。一般のＥＬ素子においては、前記発光層に生じた前記ＥＬ光を該発光層の対向方向に透過させる必要があることから前記各層を透明材料で形成するが、本発明においては、前記ＥＬ光を前記発光層の端部（外周）から放射させるため、前記発光層以外の層を透明材料で形成する必要はなく、前記各層が遮光性材料で形成されていてもよいし、前記各層のうち、互いに前記発光層を介して位置する少なくとも２層が遮光性材料で形成されていてもよい。
本発明においては、これらの中でも、前記発光層の厚みを厚くする必要がなく、該発光層の厚みが薄くても十分な光強度、発光輝度の前記ＥＬ光を該発光層の端部（外周）から放射させることができる点で、前記光反射層の２層で前記一対の遮光層が形成されているのが特に好ましい。また、前記電極層（負極層、正極層）の一方又は両方が光反射層を兼ねていてもよい。
【００６４】
前記光反射層の位置としては、特に制限はなく、目的に応じて適宜選択することができるが、例えば、前記電極層（前記正極層及び前記負極層）よりも外側、即ち最外側が好ましい。この場合、前記各層の機能を阻害等することなく、前記発光層における発光効率を劣化させず、また、外部からの余分な光が前記発光層に進入するのを効果的に遮光することができる点で好ましい。
【００６５】
前記光反射層の好ましい例としては、絶縁層上に、金属層、及び屈折率の異なる２種以上の透明材料の周期繰返し構造層のいずれか、が積層された構造を有しているのが好ましい。この場合、前記金属層の形成が容易な点で好ましい。
前記金属層の材料としては、特に制限はなく、目的に応じて適宜選択することができるが、例えば、Ａｇ、Ａｌ、Ｃｒ、Ａｕ、Ｍｇ、Ｎｉ、Ｌｉ、などが挙げられる。これらは、１種単独で使用してもよいし、２種以上を併用してもよいが、これらの中でも、反射率が高く、該金属層の形成が容易な点でＡｇ、Ａｌなどが好ましい。
前記屈折率の異なる２種以上の透明材料の周期繰返し構造層としては、特に制限はなく、光反射層として公知のものの中から適宜選択することができ、例えば、Ａｌ２Ｏ３、ＭｇＯ、ＳｉＯ、ＳｉＯ２、ＴｉＯ２、ＬｉＦ、ＭｇＦ２、ＣａＦ２、ＩＴＯ、などで形成された層の周期繰返し構造などが好適に挙げられる。前記周期繰返し構造を構成する各層の厚みとしては、例えば、１００〜１０００ｎｍなどが好ましい。
【００６６】
前記絶縁層としては、特に制限はなく、目的に応じて適宜選択することができ、該絶縁層は、透明であってもよいし、有色であってもよく、また、該絶縁層の材料としては、例えば、無機材料であってもよいし、有機材料であってもよい。
前記無機材料としては、例えば、Ａｌ２Ｏ３、ＭｇＯ、ＳｉＯ、ＳｉＯ２、ＴｉＯ２、ＬｉＦ、ＭｇＦ２、ＣａＦ２などが挙げられる。
前記有機材料としては、例えば、樹脂が好適に挙げられ、具体的には、ポリメチルメタクリレート、ポリカーボネート、ポリスチレン、ポリイミド、エポキシ樹脂、などが挙げられる。
【００６７】
前記絶縁層の厚みとしては、特に制限はなく、目的に応じて適宜選択することができ、１０ｎｍ〜５ｍｍが好ましく、１００ｎｍ〜１ｍｍがより好ましい。
前記絶縁層の厚みが、１０ｎｍ未満であると、絶縁性が十分でないことがあり、５ｍｍを超えると、ＥＬ光の吸収率が大きくなり素子動作に悪影響を及ぼすことがある。
【００６８】
前記一対の遮光層の厚みとしては、前記発光層に生じた前記ＥＬ光を遮光することができる限り、特に制限はなく、目的に応じて適宜選択することができ、１０ｎｍ〜１ｍｍが好ましく、１００ｎｍ〜１０００ｎｍがより好ましい。
前記一対の遮光層の厚みが、１０ｎｍ未満であると、光反射率に劣ることがあり、１ｍｍを超えると、装置重量面で支障が生ずることがある。
【００６９】
−−電極層−−
前記電極層としては、特に制限はなく、目的に応じて適宜選択することができ、正極層（陽極層）、負極層（陰極層）が挙げられる。なお、これらの電極層の内、通常、前記正極層が下部電極として下方に配置され、前記負極層が上部電極として上方に配置される。
前記正極層としては、特に制限はなく、目的に応じて適宜選択することができるが、前記発光層に向けて正孔（キャリア）を供給することができるものが好ましい。
前記正極層の材料としては、特に制限はなく、目的に応じて適宜選択することができるが、例えば、金属、合金、金属酸化物、電気伝導性化合物、これらの混合物などが挙げられ、これらの中でも仕事関数が４ｅＶ以上の材料が好ましい。
前記正極層の材料の具体例としては、酸化スズ、酸化亜鉛、酸化インジウム、酸化インジウムスズ（ＩＴＯ）等の導電性金属酸化物、金、銀、クロム、ニッケル、アルミニウム、リチウム等の金属、これらの金属と導電性金属酸化物との混合物又は積層物、ヨウ化銅、硫化銅等の無機導電性物質、ポリアニリン、ポリチオフェン、ポリピロール等の有機導電性材料、これらとＩＴＯとの積層物、などが挙げられる。これらは、１種単独で使用してもよいし、２種以上を併用してもよい。これらの中でも、導電性金属酸化物が好ましく、生産性、高伝導性、透明性などの観点からはＩＴＯが特に好ましい。
前記正極層の厚みとしては、特に制限はなく、材料等により適宜選択可能であるが、１〜５０００ｎｍが好ましく、２０〜２００ｎｍがより好ましい。
前記正極層は、通常、ソーダライムガラス、無アルカリガラス等のガラス、透明樹脂等の基板上に形成される。
【００７０】
前記基板として前記ガラスを用いる場合、該ガラスからの溶出イオンを少なくする観点からは、前記無アルカリガラス、シリカなどのバリアコートを施した前記ソーダライムガラスが好ましい。
前記基板の厚みとしては、機械的強度を保つのに充分な厚みであれば特に制限はないが、該基材としてガラスを用いる場合には、通常０．２ｍｍ以上であり、０．７ｍｍ以上が好ましい。
前記正極層は、例えば、蒸着法、湿式製膜法、電子ビーム法、スパッタリング法、反応性スパッタリング法、ＭＢＥ（分子線エピタキシー）法、クラスターイオンビーム法、イオンプレーティング法、プラズマ重合法（高周波励起イオンプレーティング法）、分子積層法、ＬＢ法、印刷法、転写法、化学反応法（ゾル−ゲル法など）により該ＩＴＯの分散物を塗布する方法、などの上述した方法により好適に形成することができる。
前記正極層は、洗浄、その他の処理を行うことにより、該有機ＥＬ素子の駆動電圧を低下させたり、発光効率を高めることも可能である。前記その他の処理としては、例えば、前記正極の素材がＩＴＯである場合には、ＵＶ−オゾン処理、プラズマ処理などが好適に挙げられる。
【００７１】
前記負極層としては、特に制限はなく、目的に応じて適宜選択することができるが、前記発光層に向けて電子を供給することができるものが好ましい。
前記負極層の材料としては、特に制限はなく、前記電子輸送層、前記発光層などの該負極と隣接する層乃至分子との密着性、イオン化ポテンシャル、安定性等に応じて適宜選択することができ、例えば、金属、合金、金属酸化物、電気伝導性化合物、これらの混合物などが挙げられる。
前記負極層の材料の具体例としては、アルカリ金属（例えばＬｉ、Ｎａ、Ｋ、Ｃｓなど）、アルカリ土類金属（例えばＭｇ、Ｃａなど）、金、銀、鉛、アルミニウム、ナトリウム−カリウム合金又はそれらの混合金属、リチウム−アルミニウム合金又はそれらの混合金属、マグネシウム−銀合金又はそれらの混合金属、インジウム、イッテルビウム等の希土類金属、これらの合金、などが挙げられる。
これらは１種単独で使用してもよいし、２種以上を併用してもよい。これらの中でも、仕事関数が４ｅＶ以下の材料が好ましく、アルミニウム、リチウム−アルミニウム合金又はそれらの混合金属、マグネシウム−銀合金又はそれらの混合金属、などがより好ましい。
【００７２】
前記負極層の厚みとしては、特に制限はなく、該負極の材料等に応じて適宜選択することができるが、１〜１０，０００ｎｍが好ましく、２０〜２００ｎｍがより好ましい。
前記負極層は、例えば、蒸着法、湿式製膜法、電子ビーム法、スパッタリング法、反応性スパッタリング法、ＭＢＥ（分子線エピタキシー）法、クラスターイオンビーム法、イオンプレーティング法、プラズマ重合法（高周波励起イオンプレーティング法）、分子積層法、ＬＢ法、印刷法、転写法、などの上述した方法により好適に形成することができる。
前記負極層の材料として２種以上を併用する場合には、該２種以上の材料を同時に蒸着し、合金電極等を形成してもよいし、予め調製した合金を蒸着させて合金電極等を形成してもよい。
前記正極層及び前記負極層の抵抗値としては、低い方が好ましく、数百Ω／□以下であるのが好ましい。
【００７３】
−−その他の層−−
前記その他の層としては、特に制限はなく、目的に応じて適宜選択することができ、例えば、正孔注入層、正孔輸送層、電子ブロッキング層、正孔ブロッキング層、電子輸送層、電子注入層、保護層、などが挙げられる。
【００７４】
前記正孔注入層としては、特に制限はなく、目的に応じて適宜選択することができるが、例えば、電界印加時に前記正極層から正孔を注入する機能を有しているものであるのが好ましい。
前記正孔注入層の材料としては、特に制限はなく、目的に応じて適宜選択することができるが、例えば、下記式で表されるスターバーストアミン［４，４‘,４’’−トリ（２−ナフチルフェニルアミノ）トリフェニルアミン］（以下「２−ＴＮＡＴＡ」と略すことがある）、銅フタロシアニン、ポリアニリン、などが好適に挙げられる。
【００７５】
【化２０】
2006278494.tif 000023
【００７６】
前記正孔注入層の厚みとしては、特に制限はなく、目的に応じて適宜選択することができるが、例えば、１〜１００ｎｍ程度が好ましく、５〜５０ｎｍがより好ましい。
前記正孔注入層は、例えば、蒸着法、湿式製膜法、電子ビーム法、スパッタリング法、反応性スパッタリング法、ＭＢＥ（分子線エピタキシー）法、クラスターイオンビーム法、イオンプレーティング法、プラズマ重合法（高周波励起イオンプレーティング法）、分子積層法、ＬＢ法、印刷法、転写法、などの上述した方法により好適に形成することができる。
【００７７】
前記正孔輸送層としては、特に制限はなく、目的に応じて適宜選択することができるが、例えば、電界印加時に前記正極層からの正孔を輸送する機能を有しているものが好ましい。
前記正孔輸送層の材料としては、特に制限はなく、目的に応じて適宜選択することができ、例えば、芳香族アミン化合物、カルバゾール、イミダゾール、トリアゾール、オキサゾール、オキサジアゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、スチリルアミン、芳香族ジメチリディン化合物、ポルフィリン系化合物、ポリシラン系化合物、ポリ（Ｎ−ビニルカルバゾール）、アニリン系共重合体、チオフェンオリゴマー及びポリマー、ポリチオフェン等の導電性高分子オリゴマー及びポリマー、カーボン膜、などが挙げられる。なお、これらの正孔輸送層の材料を前記発光材料と混合して製膜すると正孔輸送層兼発光層を形成することができる。
これらは、１種単独で使用してもよいし、２種以上を併用してもよく、これらの中でも、芳香族アミン化合物が好ましく、具体的には、下記式で表されるＴＰＤ（Ｎ，Ｎ’−ジフェニル−Ｎ，Ｎ’−ビス(３−メチルフェニル)−[１，１’−ビフェニル]−４，４’−ジアミン）、下記構造式（６７）で表されるＮＰＤ（Ｎ，Ｎ’−ジナフチル−Ｎ，Ｎ’−ジフェニル−[１，１’−ビフェニル]−４，４’−ジアミン）などがより好ましい。
【００７８】
【化２１】
2006278494.tif 000024
【００７９】
【化２２】
2006278494.tif 000025
【００８０】
前記正孔輸送層の厚みとしては、特に制限はなく、目的に応じて適宜選択することができるが、通常１〜５００ｎｍであり、１０〜１００ｎｍが好ましい。
前記正孔輸送層は、例えば、蒸着法、湿式製膜法、電子ビーム法、スパッタリング法、反応性スパッタリング法、ＭＢＥ（分子線エピタキシー）法、クラスターイオンビーム法、イオンプレーティング法、プラズマ重合法（高周波励起イオンプレーティング法）、分子積層法、ＬＢ法、印刷法、転写法、などの上述した方法により好適に形成することができる。
【００８１】
前記正孔ブロッキング層としては、特に制限はなく、目的に応じて適宜選択することができるが、例えば、前記正極層から注入された正孔を障壁する機能を有しているものが好ましい。
前記正孔ブロッキング層の材料としては、特に制限はなく、目的に応じて適宜選択することができる。
前記正孔ブロッキング層を有していると、前記正極層側から輸送されてきた正孔が該正孔ブロッキング層でブロックされ、前記負極層から輸送されてきた電子は該正孔ブロッキング層を通過して前記発光層に到達することにより、該発光層で効率良く電子と正孔との再結合が生じるため、該発光層以外の層での前記正孔と前記電子との再結合を防ぐことができ、目的とする発光材料からの発光が効率的に得られ、色純度等の点で有利である。
前記正孔ブロッキング層は、前記発光層と前記電子輸送層との間に配置されるのが好ましい。
【００８２】
前記正孔ブロッキング層の厚みとしては、特に制限はなく、目的に応じて適宜選択することができ、例えば、通常１〜５００ｎｍ程度であり、１０〜５０ｎｍが好ましい。
前記正孔ブロッキング層は、単層構造であってもよいし、積層構造であってもよい。
前記正孔ブロッキング層は、例えば、蒸着法、湿式製膜法、電子ビーム法、スパッタリング法、反応性スパッタリング法、ＭＢＥ（分子線エピタキシー）法、クラスターイオンビーム法、イオンプレーティング法、プラズマ重合法（高周波励起イオンプレーティング法）、分子積層法、ＬＢ法、印刷法、転写法、などの上述した方法により好適に形成することができる。
【００８３】
前記電子輸送層としては、特に制限はなく、目的に応じて適宜選択することができるが、例えば、前記負極層からの電子を輸送する機能、前記正極層から注入された正孔を障壁する機能のいずれかを有しているものが好ましい。
前記電子輸送層の材料としては、特に制限はなく、目的に応じて適宜選択することができ、例えば、前記アルミニウムキノリン錯体（Ａｌｑ）等のキノリン誘導体、オキサジアゾール誘導体、トリアゾール誘導体、フェナントロリン誘導体、ペリレン誘導体、ピリジン誘導体、ピリミジン誘導体、キノキサリン誘導体、ジフェニルキノン誘導体、ニトロ置換フルオレン誘導体など、などが挙げられる。なお、これらの電子輸送層の材料を前記発光層の材料と混合して製膜すると電子輸送層兼発光層を形成することができ、更に前記正孔輸送層の材料も混合させて製膜すると電子輸送層兼正孔輸送層兼発光層を形成することができ、この際、ポリビニルカルバゾール、ポリカーボネート等のポリマーを使用することができる。
【００８４】
前記電子輸送層の厚みとしては、特に制限はなく、目的に応じて適宜選択することができ、例えば、通常１〜５００ｎｍ程度であり、１０〜５０ｎｍが好ましい。
前記電子輸送層は、単層構造であってもよいし、積層構造であってもよい。
この場合、前記発光層に隣接する該電子輸送層に用いる電子輸送材料としては、前記発光材料よりも光吸収端が短波長である電子輸送材料を用いることが、前記ＥＬ素子（前記ＥＬ発光手段）中の発光領域を前記発光層に限定し、前記電子輸送層からの余計な発光を防ぐ観点からは好ましい。前記発光材料よりも光吸収端が短波長である電子輸送材料としては、例えば、フェナントロリン誘導体、オキサジアゾール誘導体、トリアゾール誘導体などが挙げられ、２，９−ジメチル−４，７−ジフェニル−１，１０−フェナントロリン（ＢＣＰ）や、以下に示す化合物などが好適に挙げられる。
【００８５】
【化２３】
2006278494.tif 000026
【００８６】
【化２４】
2006278494.tif 000027
【００８７】
【化２５】
2006278494.tif 000028
【００８８】
【化２６】
2006278494.tif 000029
【００８９】
前記電子輸送層は、例えば、蒸着法、湿式製膜法、電子ビーム法、スパッタリング法、反応性スパッタリング法、ＭＢＥ（分子線エピタキシー）法、クラスターイオンビーム法、イオンプレーティング法、プラズマ重合法（高周波励起イオンプレーティング法）、分子積層法、ＬＢ法、印刷法、転写法、などの上述した方法により好適に形成することができる。
【００９０】
前記電子注入層の材料としては、特に制限はなく、目的に応じて適宜選択することができ、例えば、フッ化リチウム等のアルカリ金属フッ化物、フッ化ストロンチウム等のアルカリ土類金属フッ化物、などを好適に使用できる。
前記電子注入層の厚みとしては、特に制限はなく、目的に応じて適宜選択することでき、例えば、通常、０．１〜１０ｎｍ程度であり、０．５〜２ｎｍが好ましい。
前記電子注入層は、例えば、蒸着法、電子ビーム法、スパッタリング法などにより好適に形成することができる。
【００９１】
前記保護層としては、特に制限はなく、目的に応じて適宜選択することができるが、例えば、水分や酸素等の前記ＥＬ素子（前記ＥＬ発光手段）を劣化促進させる分子乃至物質が前記ＥＬ素子（前記ＥＬ発光手段）内に侵入することを抑止可能であるものが好ましい。
前記保護層の材料としては、例えば、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２等の金属酸化物、ＳｉＮ、ＳｉＮｘＯｙなどの窒化物、ＭｇＦ２、ＬｉＦ、ＡｌＦ３、ＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質などが挙げられる。
前記保護層は、例えば、蒸着法、湿式製膜法、スパッタリング法、反応性スパッタリング法、ＭＢＥ（分子線エピタキシー）法、クラスターイオンビーム法、イオンプレーティング法、プラズマ重合法（高周波励起イオンプレーティング法）、印刷法、転写法、などの上述した方法により好適に形成することができる。
【００９２】
前記ＥＬ発光手段（ＥＬ素子）における層構成としては、特に制限はなく、目的に応じて適宜選択することができるが、例えば、以下の(1)〜(13)の層構成、即ち、(1)正極層／正孔注入層／正孔輸送層／発光層／電子輸送層／電子注入層／負極層、(2)正極層／正孔注入層／正孔輸送層／発光層／電子輸送層／負極層、(3)正極層／正孔輸送層／発光層／電子輸送層／電子注入層／負極層、(4)正極層／正孔輸送層／発光層／電子輸送層／負極層、(5)正極層／正孔注入層／正孔輸送層／発光層兼電子輸送層／電子注入層／負極層、(6)正極層／正孔注入層／正孔輸送層／発光層兼電子輸送層／負極層、(7)正極層／正孔輸送層／発光層兼電子輸送層／電子注入層／負極層、(8)正極層／正孔輸送層／発光層兼電子輸送層／負極層、(9)正極層／正孔注入層／正孔輸送層兼発光層／電子輸送層／電子注入層／負極層、(10)正極層／正孔注入層／正孔輸送層兼発光層／電子輸送層／負極層、(11)正極層／正孔輸送層兼発光層／電子輸送層／電子注入層／負極層、(12)正極層／正孔輸送層兼発光層／電子輸送層／負極層、(13)正極層／正孔輸送層兼発光層兼電子輸送層／負極層、などが好適に挙げられる。なお、前記ＥＬ発光手段（ＥＬ素子）が前記正孔ブロッキング層を有する場合には、前記（１）〜（13）において、前記発光層と前記電子輸送層との間に該正孔ブロッキング層が配置される層構成が好適に挙げられる。
【００９３】
前記ＥＬ発光手段（ＥＬ素子）の層構成の内、前記(4)正極層／正孔輸送層／発光層／電子輸送層／負極層の態様を図示すると、図３の通りであり、ＥＬ発光手段（ＥＬ素子）は、基板２５上に、光反射層２４と、透明絶縁層２３と、正極層２２（例えばＩＴＯ電極）と、正孔注入・輸送層２１（例えば、電子受容性の高い下記テトラフルオロテトラシアノキノジメタン（Ｆ４ＴＣＮＱ）が０．００１〜１％ドープ）と、発光層２０と、電子注入・輸送層１９（リチウム、ナトリウムなどのアルカリ金属を０．００１〜１０％ドープ）と、負極層１８（例えばＩＴＯ電極）と、透明絶縁層１７と、光反射層１６とをこの順に積層してなる層構成を有する。なお、正極層２２と負極層１８とは電源を介して互いに接続されている。
【００９４】
【化２７】
2006278494.tif 000030
【００９５】
前記発光層の輝度半源時間としては、長い程好ましく、例えば、電流密度５０Ａ／ｍ２の連続駆動において、５時間以上が好ましく、２０時間以上がより好ましく、４０時間以上が更に好ましく、６０時間以上が特に好ましい。
【００９６】
前記発光層におけるＥＬ光のピーク波長としては、特に制限はなく、紫外〜近赤外光域から適宜選択することができ、例えば、３００〜８００ｎｍが好ましく、３５０ｎｍ〜６５０ｎｍがより好ましい。なお、該ピーク波長としては、後述の導光部に発光材料が含まれている場合には、該発光材料の吸収波長領域に含まれていることが必要である。
【００９７】
前記発光層における発光電圧としては、電圧２０Ｖ以下で発光することが望まれ、１０Ｖ以下で発光するのが好ましく、７Ｖ以下で発光するのがより好ましい。
前記発光層における電流効率としては、電流密度５Ａ／ｍ２において、５ｃｄ／Ａ以上であるのが好ましく、１０ｃｄ／Ａ以上であるのがより好ましく、２０ｃｄ／Ａ以上であるのが特に好ましい。
【００９８】
前記ＥＬ発光手段（ＥＬ素子）の数としては、特に制限はなく、目的に応じて適宜選択することができ、例えば、１つであってもよいし、２以上であってもよく、２以上である場合には、各ＥＬ発光手段における前記ＥＬ光のピーク波長が互いに同一であってもよいし、異なっていてもよい。
【００９９】
前記ＥＬ発光手段（ＥＬ素子）の製造乃至形成方法としては、特に制限はなく、目的に応じて適宜選択することができ、例えば、蒸着法、ＣＶＤ法、スパッタリング法、塗布法（スピンコート法など）、フォトリソグラフィー法、などが挙げられる。
これらの方法は、１種単独で使用してもよいし、２種以上を併用してもよい。これらの中でも、前記ＥＬ発光手段の形状の調整が容易であるものが好ましく、蒸着法、塗布法、スパッタリング法などがより好ましい。
前記ＥＬ発光手段（ＥＬ素子）は、上述したように、前記発光層及び前記一対の遮光層を有してなる積層構造を有するが、該ＥＬ発光手段（ＥＬ素子）の平面形状、即ち上から観たときの形状としては、後述する導光部材における導光部の形状等に応じて適宜選択することができ、例えば、該導光部がループ状構造を有する場合には、該ループ状と同様の外周形状を有する円状などが好適に挙げられる。該ＥＬ発光手段（ＥＬ素子）における外周形状と、前記導光部の内周形状とを同じ形状にしておくと、該ＥＬ発光手段における前記発光層の端部（外周）から放射される前記ＥＬ光が前記導光部に取り込まれる際の光の損失（例えば、接続損失）を効果的に抑制乃至低減させることができる点で有利である。
なお、前記ＥＬ発光手段（ＥＬ素子）が前記円状である場合、該ＥＬ発光手段（ＥＬ素子）の直径としては、特に制限はなく、目的に応じて適宜選択することができるが、例えば、１００μｍ以上であるのが好ましく、２００μｍ〜１０ｍｍがより好ましい。
前記直径が、１００μｍ未満であると、出射光（出力光）の強度が不十分となることがある。
【０１００】
−光出射手段及び光出射工程−
前記光出射手段としては、前記発光層の端部（外周）から放射される前記ＥＬ光を導光し、該ＥＬ光と同波長乃至異波長の光を出射することができる限り特に制限はなく、目的に応じて適宜選択することができるが、例えば、前記ＥＬ光の損失（例えば、伝送損失、接続損失）乃至減衰を抑制する観点からは、前記ＥＬ光を導光可能な導光部材を有しているのが好ましい。
前記光出射工程は、前記発光層から放射された前記ＥＬ光を導光し、該ＥＬ光と同波長乃至異波長の光を出射させる工程である。該光出射工程は、前記光出射手段により好適に行うことができる。
【０１０１】
前記導光部材としては、前記ＥＬ光を導光することができる限り特に制限はなく、目的に応じて適宜選択することができるが、例えば、前記ＥＬ光を導光可能な導光部と、前記ＥＬ光を導光しない非導光部とを有してなるものが好ましく、光共振器として機能するものがより好ましい。この場合、インコヒーレントな前記ＥＬ光をコヒーレントなレーザー光として出射させることが可能になる点で有利である。なお、本発明においては、前記光出射装置から出射される光を、出射光、出力光などと称する。
【０１０２】
前記導光部の材料としては、前記ＥＬ光の損失（例えば、伝送損失）乃至減衰を生じさせないものであるのが好ましく、例えば、無機材料、有機材料の中から適宜選択することができる。
前記無機材料としては、特に制限はなく、目的に応じて適宜選択することができるが、例えば、Ａｌ２Ｏ３、ＭｇＯ、ＳｉＯ、ＳｉＯ２、ＴｉＯ２、ＬｉＦ、ＩＴＯ、ガラス、などが挙げられる。
前記有機材料としては、特に制限はなく、目的に応じて適宜選択することができるが、例えば、樹脂などが挙げられる。該樹脂としては、特に制限はなく、目的に応じて適宜選択することができ、例えば、ポリメチルメタクリレート等のアクリル樹脂、ポリカーボネート、シリコーン樹脂、ポリスチレン、スチレンアクリロニトリル等のスチレン系樹脂、シクロブテン樹脂、ポリイミド、エポキシ樹脂、などが挙げられ、これらの中でも、フッ素化ポリイミド、ベンゾシクロブテン、重水素化シリコーン、重水素化ポリメチルメタクリレート、ＵＶエポキシ樹脂、ＵＶアクリレート、感光性ポリイミド、などがより好ましい。
これらの材料は、１種単独で使用してもよいし、２種以上を併用してもよい。これらの中でも、フォトリソグラフィー法により、所望の形状の光導波路として機能する前記導光部を容易にかつ正確、精細に所望のパターン状に形成可能な点で、感光性ポリイミドが好ましい。
【０１０３】
前記導光部の屈折率としては、特に制限はなく、前記非導光部の屈折率に応じて適宜選択することができ、例えば、１．４〜１．８であるのが好ましく、１．５〜１．７であるのがより好ましい。
前記屈折率が、１．４未満であると、前記導波部内に光を十分に閉じ込めておくことが困難となることがあり、１．８を超えると、吸収損失が増大することがある。
【０１０４】
前記導光部の形状乃至構造としては、前記ＥＬ光を導光することができる限り特に制限はなく、目的に応じて適宜選択することができるが、例えば、管状、線状導波路構造などが好適に挙げられる。これらは、単独で使用してもよいし、２以上を組合せて使用してもよい。これらの中でも、前記ＥＬ光の損失を可能な限り低減させる観点からは、前記線状導波路構造が好ましい。
なお、前記導光部が、例えば、前記線状導波路構造であった場合、該導光部は屈曲部（角部）が生じないように前記導光部材に備えられているのが好ましい。前記導光部に屈曲部が存在すると、該屈曲部において前記ＥＬ光の損失（例えば、曲げ損失）が生ずることがある点で好ましくない。
前記導光部に屈曲部（角部）が生じない範囲において、前記導光部は、前記導光部材において直線状に備えられている必要はなく、螺旋状構造、ループ状構造、円状構造、曲線状構造、などの状態で備えられていてもよい。これらの中でも、ループ状構造などが特に好ましい。前記導光部がループ状構造であると、前記ＥＬ光が前記ループ状構造の前記導光部内に導光された際、該ＥＬ光が該導光部内を周回し、周回する光がその位相と元の位相と一致する条件において共振が起こり、その共振条件の波長のレーザー光となり、該光出射装置からレーザー光が出射可能となる点で有利であり、また、該ループ状構造の前記導光部内を周回する前記ＥＬ光が前記ＥＬ発光手段（ＥＬ素子）における前記発光層側に逆行してしまうのを効果的に抑制することができる点で有利である。
【０１０５】
前記導光部の軸方向（長さ方向）に対し略直交方向の断面形状としては、特に制限はなく、目的に応じて適宜選択することができ、例えば、略円形、楕円形、四角形（略正方形、略長方形）等の角形、不定形、などが好適に挙げられる。これらは、単独で使用してもよいし、２以上を組合せてもよい。これらの中でも、製造性の観点からは、前記四角形等の角形が好ましい。
また、前記断面形状の大きさとしては、特に制限はなく、目的に応じて適宜選択することができるが、例えば、線状光乃至レーザー光を出射させる観点からは、前記断面形状の大きさが小さい方が好ましく、該断面形状の直径乃至最大径としては、例えば、１μｍ〜１００μｍが好ましい。
【０１０６】
前記導光部の長さとしては、前記ＥＬ光の損失（例えば、伝送損失）乃至減衰が実用上十分低い範囲内であれば特に制限はなく、目的に応じて適宜選択することができるが、例えば、該導光部に後述する発光材料を含有させておき、インコヒーレントな前記ＥＬ光をコヒーレントな光に変調させる場合には、この変調に十分な長さであることが好ましい。
【０１０７】
前記導光部の構造としては、特に制限はなく、目的に応じて適宜選択することができるが、例えば、単独の部材で形成されていてもよいし、２以上の部材で形成されていてもよいが、前記ＥＬ光の損失（例えば、接続損失）を可能な限り生じさせない観点からは、単独の部材で形成されていることが好ましい。
前記導光部の大きさとしては、特に制限はなく、目的に応じて適宜選択することができるが、前記ＥＬ発光手段（ＥＬ素子）における前記発光層の端部（外周）から放射される前記ＥＬ光の効率的な導光（取り込み）の観点からは、該発光層の厚みよりも前記断面形状における直径乃至最大径が大きいことが好ましい。この場合、前記ＥＬ光の損失（例えば、接続損失）を低減乃至抑制することができる点で好ましい。
【０１０８】
前記導光部の配置としては、特に制限はなく、目的に応じて適宜選択することができるが、前記ＥＬ発光手段（ＥＬ素子）における前記発光層の端部（外周）から放射される前記ＥＬ光の損失（例えば、接続損失）を可能な限り低減させ、該ＥＬ光の効率的な導光（取り込み）の観点からは、前記発光層の端部（外周）近傍、などが好適に挙げられる。
なお、前記導光部と、前記ＥＬ発光手段における前記発光層の端部（外周）との距離としては、特に制限はなく、目的に応じて適宜選択することができ、該導光部が前記発光層と接していてもよいし離れていてもよく、例えば、０．１μｍ〜２ｍｍが好ましい。
【０１０９】
なお、前記導光部と前記発光層とが離れて配置されている場合、両者の間は、エアギャップが存在していてもよいし、透光性材料が配置されていてもよく、後者の場合、前記ＥＬ光のフレネル反射損失を低減乃至抑制することができる点で好ましい。
前記透光性材料としては、前記導光部の材料より低い屈折率を有し、該導光部に前記ＥＬ光を導光することができる限り特に制限はなく、目的に応じて適宜選択することができるが、例えば、後述する非導光部の材料のうち、透光性に優れた材料などが好適に挙げられる。
【０１１０】
本発明においては、前記導光部に、前記ＥＬ発光手段（ＥＬ素子）における前記発光層の端部（外周）から放射される前記ＥＬ光を吸収して発光可能な発光材料を含まれているのが特に好ましい。この場合、前記ＥＬ光を所望の波長の光に変換させることができ、また、誘導放出が可能な条件においてはインコヒーレントな前記ＥＬ光をコヒーレントな光にすることができ、その結果、該発光材料を含む光出射装置から出射される光の光強度の向上、変調等が可能となり、各種用途への適用が可能となる等の点で好ましい。
また、前記導光部が、前記ＥＬ光を吸収する材料（ホスト材料）と、その材料からのエネルギー移動により励起され発光する発光材料（ゲスト材料）の２種の材料を含んでいてもよい。この形態は、前記ゲスト材料の濃度を上述した「濃度消光」の影響がない低濃度にすることができ、かつ前記ホスト材料の濃度を大きくすることにより、前記導光部における前記ＥＬ光の吸収率を十分大きくすることができる点で有利である。前記導光部に含まれるホスト材料及びゲスト材料としては、上述したものが挙げられる。ただし、前記導光部に含まれるホスト材料及びゲスト材料においては、上述したホスト材料及びゲスト材料におけるような電荷輸送機能を有している必要はない。
【０１１１】
前記発光材料の吸収波長領域としては、前記ＥＬ発光手段（ＥＬ素子）における前記発光層から放射される前記ＥＬ光の発光波長領域と重なりがあることが必要である。該発光材料の吸収ピーク波長は、前記ＥＬ発光ピーク波長に対し、±５０ｎｍに位置するのが好ましく、±２０ｎｍに位置するのがより好ましい。
前記発光材料の吸収ピーク波長が、前記ＥＬ光の発光ピーク波長に対し、５０ｎｍ以上離れていると、該発光材料の前記ＥＬ光の吸収・変換効率が低下してしまい、前記ＥＬ光の損失（例えば、伝送損失）乃至減衰が生じてしまうことがあり、光強度の大きな光を出射させることができないことがある。なお、前記導光部が前記発光材料を含んでいる場合、一般に、該導光部から外部に出射される光を前記ＥＬ光のピーク波長よりも長波長側にピーク波長がある光を出射させることができる。
【０１１２】
前記発光材料としては、前記ＥＬ光を吸収して励起状態となり、基底状態に戻るときに発光を生ずるものであれば特に制限はなく、目的に応じて適宜選択することができ、例えば、レーザー活性物質などとして公知のものを使用することができ、無機化合物、有機化合物、などが挙げられる。
前記無機化合物としては、特に制限はなく、目的に応じて適宜選択することができ、例えば、希土類イオン、などが挙げられ、具体的には、プラセオジムイオン、ツリウムイオン、ルミウムイオン、エルピウムイオン、ネオジムイオン、ユーロピウムイオンなどが挙げられる。
前記有機化合物としては、特に制限はなく、目的に応じて適宜選択することができ、例えば、上述した、ルブレン、ペリレン、１，３，６，８−テトラフェニルピレンなどが好適に挙げられる。なお、前記発光材料が前記ルブレンである場合、該光出射装置から出射される光は、前記ルブレンの発光色である黄色となる。
【０１１３】
これらの発光材料は、１種単独で使用してもよいし、２種以上を併用してもよいが、出射させる光をコヒーレントなレーザー光にする観点からは前記発光材料を１種単独で使用するのが好ましい。これらの中でも、一般に、前記導光部の材料が無機材料であるときは該発光材料も前記無機化合物であるのが好ましく、前記導光部の材料が有機材料であるときは該発光材料も前記有機化合物であるのが、該導光部への前記発光材料の均一分散の観点からは好ましい。
【０１１４】
前記発光材料の前記導光部における存在状態としては、特に制限はなく、目的に応じて適宜選択することができるが、前記ＥＬ光の増幅乃至変調効率の観点からは、例えば、該導光部に均一分散しているのが好ましい。
前記発光材料を前記導光部内に均一に分散させる方法としては、特に制限はなく、該発光材料、前記導光部の材料の種類、大きさ、形状等に応じて適宜選択することができ、例えば、前記発光材料及び前記導光部の材料がいずれも有機材料、有機化合物である場合には、両材料を溶剤等に溶解、あるいは溶融等させる方法などが好適に挙げられる。
【０１１５】
前記発光材料の前記導光部における含有量としては、特に制限はなく、目的に応じて適宜選択することができ、例えば、０．１〜２０モル％が好ましく、０．２〜１０モル％がより好ましい。
前記発光材料の含有量が、０．１モル％未満であると、前記ＥＬ光の増幅ないし変調効率が十分でないことがあり、光強度の大きな光を出射させることができない、コヒーレントで指向性の高いレーザー光を出射させることができないことがあり、２０モル％を超えると、該導光部内に導光される光に損失（例えば、伝送損失）乃至減衰、及び前記発光材料の濃度消光による発光効率の低下が生することがある。
【０１１６】
前記非導光部としては、それ自身は前記ＥＬ光を導光せず、前記導光部と組み合わされた際に該導光部のみが前記ＥＬ光を導光可能にさせ得るものであれば特に制限はなく、目的に応じて適宜選択することができる。
前記非導光部の配置としては、特に制限はなく、目的に応じて適宜選択することができるが、例えば、前記導光部の周囲を覆うようにして設けられた配置が好ましく、前記導光部を内部に埋め込むようにして設けられた配置が特に好ましい。これらの場合、前記導光部内に取り込まれた前記ＥＬ光は、該導光部の周囲から外部に漏出しようとしても、該導光部の周囲に該非導光部が存在するため、前記導光部と前記非導光部との屈折率差により、前記非導光部に進入することなく、該導光部と該非導光部との界面で反射されて該導光部内を進行する。このため、前記非導光部に埋め込まれた前記導光部は、光導波路として機能し、該導光部内を進行する光の外部への漏出が効果的に抑制され、前記導光部内に導光する光の損失（例えば、伝送損失）が生ずるのを防ぐことができ、光強度の大きな光を出射可能である点で有利である。
【０１１７】
前記非導光部の屈折率としては、特に制限はなく、目的に応じて適宜選択することができ、例えば、前記導光部の屈折率よりも低いのが好ましい。この場合、前記非導光部の屈折率が前記導光部の屈折率よりも低いため、前記導光部内を進行する前記ＥＬ光が該非導光部に進入することなく、該導光部と該非導光部との界面で反射されて該導光部内を進行する。このため、前記非導光部に埋め込まれた前記導光部は、光導波路として機能し、該導光部内を進行する光の外部への漏出が効果的に抑制され、前記導光部内に導光する光の損失（例えば、伝送損失）が生ずるのを防ぐことができ、光強度の大きな光を出射可能である点で有利である。なお、前記導光部をコアとして、前記非導光部を前記コアの外周を覆うクラッドとして光ファイバ構造を形成してもよい。
【０１１８】
前記導光部と前記非導光部との屈折率差としては、特に制限はなく、目的に応じて適宜選択することができ、大きい方が好ましく、０．０５以上であるのがより好ましく、０．１以上であるのが特に好ましい。
前記屈折率差が、０．０５未満であると、前記導光部への光の閉じ込めが不十分なことがあり、前記ＥＬ光の導光効率が十分でなく、該出射装置から出射される光の強度乃至明るさが十分でないことがある。
【０１１９】
前記非導光部の材料としては、特に制限はなく、前記導光部の屈折率、形状等に応じて適宜選択することができ、例えば、有機材料、無機材料、などが挙げられる。
なお、前記非導光部は、空気で形成してもよく、即ち該非導光部を設けずに空気を存在させてもよく、このような場合であっても、前記導光部の屈折率が前記空気の屈折率よりも高くなっていれば、該空気を前記非導光部として機能させることができる。また、前記非導光部を後述する基板上に設ける場合には、該基板も前記非導光部としての機能を有することが好ましい。
【０１２０】
前記無機材料としては、特に制限はなく、目的に応じて適宜選択することができ、前記導光部の材料として例示したものなどが挙げられ、例えば、Ａｌ２Ｏ３、ＭｇＯ、ＳｉＯ、ＳｉＯ２、ＴｉＯ２、ＬｉＦ、ＩＴＯ、ガラス、ＭｇＦ２，ＣａＦ２、などが挙げられる。
前記有機材料としては、特に制限はなく、目的に応じて適宜選択することができるが、前記導光部の材料として例示したものなどが挙げられ、例えば、樹脂などが好適に挙げられる。該樹脂としては、特に制限はなく、目的に応じて適宜選択することができ、例えば、ポリメチルメタクリレート等のアクリル樹脂、ポリカーボネート、シリコーン樹脂、ポリスチレン、スチレンアクリロニトリル等のスチレン系樹脂、シクロブテン樹脂、ポリイミド、エポキシ樹脂、などが挙げられる。
これらの材料は、１種単独で使用してもよいし、２種以上を併用してもよい。これらの中でも、ベンゾシクロブテン、重水素化シリコーン、ポリメチルメタクリレート、ＵＶエポキシ樹脂、ＵＶアクリレート、感光性ポリイミド、フッ素化ポリイミド、光透過性ポリイミド、などがより好ましく、前記導光部を覆うのが容易であり、取扱性、耐久性等に優れる点で、ポリメチルメタクリレートなどが好ましい。
【０１２１】
前記導光部及び前記非導光部の形成方法としては、特に制限はなく、目的に応じて適宜選択することができるが、例えば、スパッタリング法、フォトリソグラフィー法、塗布法（スピンコート法など）、蒸着法、ＣＶＤ法、エッチング法、接着法、などが挙げられる。これらは、単独で使用してもよいし、併用してもよいが、これらの中でも、任意の形状を形成可能な方法が好ましく、蒸着法、塗布法、フォトリソグラフィー法、エッチング法、が微細かつ任意の形状乃至構造の前記導光部を効率的に形成可能な点で好ましい。
【０１２２】
本発明においては、前記導光部材が、前記ＥＬ発光手段（ＥＬ素子）における前記発光層から放射される前記ＥＬ光であって前記導光部を透過したＥＬ光を前記導光部に向けて反射する光反射部材を有しているのが好ましい。該導光部材が該光反射部材を有していると、前記ＥＬ光の損失（例えば、接続損失）を効果的に低減させることができ、前記ＥＬ光の利用効率に優れる点で有利である。
【０１２３】
前記光反射部材の配置としては、特に制限はなく、目的に応じて適宜選択することができ、例えば、前記発光層の端部（外周）近傍に配置させた前記導光部の外周近傍であるのが好ましい。この場合、前記発光層の端部（外周）から放射（漏出）された前記ＥＬ光は、該発光層の端部（外周）近傍に配置させた前記導光部に取り込まれるが、前記ＥＬ光の一部は、前記導光部をそのまま透過してしまうことがある。しかし、該導光部の更に外周近傍に前記光反射部材が配置されていると、該ＥＬ光は外光反射部材により反射されて前記導光部に再び取り込まれる。その結果、前記発光層の端部（外周）から放射（漏出）される前記ＥＬ光の損失（例えば、接続損失）が効果的に低減される。
【０１２４】
前記光反射部材の材料としては、前記ＥＬ光を透過させずに反射させることができればよく、特に制限はなく、公知のものの中から目的に応じて適宜選択することができ、例えば、金属、合金、誘電体多層膜などが挙げられる。これらの材料は、１種単独で使用してもよいし、２種以上を併用してもよい。これらの中でも、製造性の点で、金属などが好ましい。
前記光反射部材の形状乃至構造としては、特に制限はなく、目的に応じて適宜選択することができ、例えば、リング状壁構造物、箱状構造物などが好適に挙げられる。
【０１２５】
本発明においては、前記光出射手段が、前記導光部から光を取り出して外部に出射する光取出部を有しているのが好ましい。
前記光取出部としては、前記導光部材における前記導光部と光学的に接続されていることが好ましい。該光取出部が前記導光部に光学的に接続されていると、前記導光部内を導光される光の損失（例えば、接続損失）乃至減衰等を効果的に低減させることができ、光強度の大きな光を出射させることができる点で有利である。
なお、前記光取出部と前記導光部とを光学的に接続するためには、両者を光波長程度の間隔で接近させておけばよく、必ずしも両者が直接、接した状態で接続されている必要はない。前記光取出部と前記導光部との光学的接続を行う手段としては、特に制限はなく、周知の光導波路技術を利用することができ、例えば、方向性結合、などを利用することができる。
前記光取出部の材料としては、特に制限はなく、目的に応じて適宜選択することができるが、例えば、前記導光部の材料と同様の材料が好適に挙げられ、該光取出部の材料を前記導光部の材料とが同一であってもよいし、異なっていてもよい。これらの材料の中でも、ポリメチルメタクリレート、などが好適に挙げられる。
【０１２６】
前記光取出部は、前記導光部材における前記導光部と光学的に接続されていることが好ましい。該光取出部が前記導光部に光学的に接続されていると、前記導光部内を導光される光の損失（例えば、接続損失）乃至減衰等を効果的に低減させることができ、光強度の大きな光を出射させることができる点で有利である。
前記光取出部の前記導光部との間の距離としては、前記導光部内を導光させる光の損失（接続損失）が実用上十分低い限り特に制限はなく、目的に応じて適宜選択することができるが、例えば、該光取出部における前記導光部との最近接地点において、前記導光部内に導光される光の波長程度の距離であるのが好ましい。この場合、前記光取出部と前記導光部とを光学的に接続することができ、前記導光部から該光取出部に光を取り出した際に、該光の損失（接続損失等）を効果的に抑制することができる点で有利である。なお、前記距離が、前記導光部内に導光される光の波長よりも大きい場合、前記導光部から前記光取出部に効率よく光を取り出すことができないことがあり、また、光の取出しの際に光の損失（例えば、接続損失）などが生ずることがある。
【０１２７】
前記光取出部の数としては、特に制限はなく、目的に応じて適宜選択することができ、１つであってもよいし、２以上であってもよい。前記光取出部の数が、２以上であると、光出射装置の機能拡張の点で有利である。
【０１２８】
また、本発明においては、前記光出射手段が、前記ＥＬ発光手段（ＥＬ素子）おける前記発光層の端部（外周）と、前記導光部との間に、前記発光層から放射される前記ＥＬ光を効率的に前記導光部に集光可能な集光部材を有しているのが好ましい。
前記集光部材としては、前記ＥＬ光を前記導光部に集光させることができる限り特に制限はなく、目的に応じて適宜選択することができ、透光性に優れた材料で形成されているのが好ましく、例えば、集光レンズ等のレンズ系、導波路構造などが好適に挙げられる。これらの集光部材は、１種単独で使用してもよいし、２種以上を併用してもよい。
【０１２９】
本発明においては、上述したＥＬ発光手段及び前記光出射手段の数が、各々１つであってもよいし、少なくともいずれかが２以上であってもよい。
本発明の光出射装置又は光出射方法によって出射される前記出射光の波長としては、特に制限はなく、目的に応じて適宜選択することができ、例えば、３５０〜８００ｎｍであるのが好ましい。
【０１３０】
−その他の手段及びその他の工程−
前記その他の手段としては、特に制限はなく、目的に応じて適宜選択することができ、例えば、前記ＥＬ発光手段（ＥＬ素子）を固定配置させるための基板（基材、支持体）、光導波路形成用部材、などが好適に挙げられる。
前記基板としては、特に制限はなく、目的に応じて適宜選択することができるが、例えば、シリコン基板、ガラス基板（ＳｉＯ２基板）、プラスチック基板、金属基板などが好適に挙げられる。該基板は、１種単独で使用してもよいし、２種以上を併用してもよい。
前記基板の中でも、製造性及びコストの点で、シリコン基板、ガラス基板、熱酸化シリコン基板（Ｓｉ＋ＳｉＯ２）、が好ましい。
【０１３１】
本発明においては、前記ＥＬ発光手段（ＥＬ素子）及び前記光出射手段（例えば、前記導光部材及び前記光取出部）を前記基板上に、同時に乃至順次形成することができ、この場合、該ＥＬ発光手段（ＥＬ素子）における前記発光層と、前記導光部材における前記導光部及び前記光取出部との配置、位置関係の制御が容易であり、該発光層と該導光部及び前記光取出部との光学的接続を容易に行うことができる点で有利である。一般に、光学的接続を行う場合には、接続する２つの部材の位置を精度よく調整することが必要になり容易ではなく、接続損失が生じ易いという問題があるが、上述したように、前記基板上に前記ＥＬ発光手段と前記導光部及び前記光取出部とを同時に乃至順次、例えば、蒸着法、塗布法、フォトリソグラフィー法、エッチング法、などにより形成することにより、容易に光学的接続を行うことができる点で有利である。
【０１３２】
前記光導波路形成用部材としては、特に制限はなく、目的に応じて適宜選択することができ、例えば、リング共振器、ミラー素子、ハーフミラー素子、分岐合流素子、光スイッチ、光集積回路、リングレーザ、全反射板コーナ、グレーティング導波路、などが挙げられる。これらは、１種単独で使用してもよいし、２種以上を併用してもよい。
前記その他の工程としては、特に制限はなく、目的に応じて適宜選択することができる。
【０１３３】
本発明の光出射装置の製造方法としては、特に制限はなく、目的に応じて適宜選択することができ、例えば、前記ＥＬ発光手段（ＥＬ素子）及び前記光出射手段をそれぞれ別個に製造し、最後に両者を光学的に接続する方法、前記ＥＬ発光手段（ＥＬ素子）及び前記光出射手段を前記基板上に同時に乃至順次形成する方法、などが挙げられる。これらの中でも、前記ＥＬ発光手段（ＥＬ素子）及び前記光出射手段を前記基板上に同時に乃至順次形成する方法が、該ＥＬ発光手段（ＥＬ素子）と該光出射手段との位置合せが容易であり、両者の光学的接続が容易である点で好ましい。従来における発光ダイオード装置、半導体レーザー装置等においては、一般に、発光ダイオードや半導体レーザーを別個に作製した光導波路に正確に位置合せをしなければならず、この位置合せが容易ではなく、僅かなズレによって光の接続損失が生じ得るという問題があるが、本発明の光出射装置において、前記ＥＬ発光手段（ＥＬ素子）と前記導光部材及び前記光取出部とを同時に形成した場合には、上記問題がなく、光の損失（例えば、接続損失）を効果的に抑制乃至低減することができ、更に製造効率に優れる点で好ましい。
なお、前記ＥＬ発光手段（ＥＬ素子）及び前記光出射手段の製造乃至形成方法としては、特に制限はなく、目的に応じて適宜選択することができ、例えば、スパッタリング法、蒸着法（ＣＶＤ法など）、塗布法（スピンコート法など）、フォトリソグラフィー法、エッチング法、などが挙げられる。これらは、１種単独で使用してもよいし、２種以上を併用してもよい。
【実施例】
【０１３４】
以下、実施例により本発明の光出射装置及び光出射方法を詳細に説明するが、本発明は、下記実施例に何ら限定されるものではない。なお、この実施例の光出射方法は、この実施例に係る光出射装置を実施すると、その実施がされることを意味する。
図１及び図２に示すように、本発明の光出射装置は、ＥＬ発光手段３と、光出射手段とを基板７（熱酸化シリコン(Ｓｉ＋ＳｉＯ２)）に上に有してなる。
【０１３５】
ＥＬ発光手段３は、平面型の有機ＥＬ素子であり、図３に示すように、基板２５と、光反射層２４と、透明樹脂層２３（絶縁性）と、正極層２２と、正孔注入・輸送層２１と、発光層２０と、電子注入・輸送層１９と、負極層１８と、透明層１７（絶縁性）と、光反射層１６とをこの順に積層してなる構造を有する。なお、正極層２２と、負極層１８とは、導線４により電源６に電気的に接続されている。
【０１３６】
ＥＬ発光手段３は、基板７上に設けられており、上から観ると直径が１０ｍｍの円形である。ＥＬ発光手段３は、以下のようにして形成した。即ち、まず、基板７上に、光反射層２４として、スパッタリング法により銀（Ａｇ）を厚みが０．１μｍでありかつ基板７の全面に形成した。次に、光反射層２４上に、透明樹脂層２３として、スピンコート法により光透過性ポリイミド（特開２０００−１９８８４２号公報参照）を厚みが５μｍとなるようにかつ基板７の全面に塗布して形成した。次に、透明樹脂層２３上に、正極層２２として、スパッタリング法によりＩＴＯを厚みが０．２μｍとなるようにかつ直径が１０ｍｍである円状に形成した。なお、正極層２２には、導線４により電源６に電気的に結線した。正極層２２上に、正孔注入・輸送層２１として、真空蒸着法により、前記２−ＴＮＡＴＡ層及び前記ＮＰＤ層を厚みがそれぞれ１００ｎｍ及び２０ｎｍとなるようにかつ正極層２２と同形状に順次形成した。なお、正孔注入・輸送層の性能向上の目的で、前記２−ＴＮＡＴＡ層には、上述したテトラフルオロテトラシアノキノジメタンを０．２モル％ドープさせた。そして、正孔注入・輸送層２１上に、発光層２０として、真空蒸着法により、２モル％の１，３，６，８−テトラキス（Ｎ−（３−メチルフェニル）−Ｎ−フェニルアミノ）ピレンを含む前記ＣＢＰを厚みが３０ｎｍとなるようにかつ正孔注入・輸送層２１と同形状に形成した。発光層２０上に、電子注入・輸送層１９として、真空蒸着法により、前記ＢＣＰを厚みが４０ｎｍとなるようにかつ発光層２０と同形状に形成した。なお、電子注入・輸送層の性能向上の目的で、電子注入・輸送層１９には、リチウムを１モル％ドープさせた。電子注入・輸送層１９上に、負極層１８として、スパッタリング法により、ＩＴＯを厚みが２００ｎｍとなるようにかつ電子注入・輸送層１９と同心円状で直径が９ｍｍであるように形成した。そして、負極層１８上に、透明層１７として、蒸着法によりＬｉＦを厚みが２μｍとなるようにかつ負極層１８と同形状に形成した。更に、透明層１７上に、光反射層１６として、スパッタリング法により銀（Ａｇ）を厚みが０．１μｍとなるようにかつ透明層１７と同形状に形成した。以上により、特開２００４−８３５０７号公報に記載のような緑色発光有機ＥＬ素子であるＥＬ発光手段を形成した。なお、図１では、ＥＬ発光手段３（有機ＥＬ素子）は、基板７上に直接設けられてないように見えるが、図１では、光反射層２及び透明樹脂層２３をＥＬ発光手段３の下の非導光部２に含めている。
【０１３７】
ＥＬ発光手段３においては、電源６から正極層２２と負極層１８とに電圧が印加されると、正極層２２に隣接する正孔注入・輸送層２１において正孔が注入され、発光層２０に向けて輸送される一方、負極層１８に隣接する電子注入・輸送層１９において電子が注入され、発光層２０に向けて輸送される。そして、発光層２０において、前記正孔と前記電子とが結合し、その際のエネルギーを利用して該発光層２０内に含まれる発光材料がＥＬ光（この実施例では緑色（波長：５００ｎｍ））を生ずる。発光層２０に生じた前記ＥＬ光は、約８０％がその端部（外周）から外部に放射され、約２０％がその層面から外部に放射されるが、ＥＬ発光手段３においては、発光層２０が光反射層２４及び光反射層１６により挟まれているため、前記約２０％の光もＥＬ発光手段３の端部（外周）から外部に放射される結果、実質的には約１００％のＥＬ光がＥＬ発光手段３の端部（外周）から放射される。
【０１３８】
前記光出射手段は、導光部材を有してなり、該導光部材は、図１及び図２に示すように、導光部（光導波路）１と、非導光部２と、光取出部９とを有してなる。
【０１３９】
導光部１は、線状導波路であり、光導波路として機能する。導光部１は、基板７上に形成したＥＬ発光手段３の外周近傍に該ＥＬ発光手段３の端部（外周）との間隙が０．１ｍｍとなるように、スピンコート法及びエッチング法により、発光材料としての上述したルブレンを１０モル％含むポリメチルメタクリレート（屈折率：１．４９）によるループ状構造の線状導波路である導光部１を厚みが４μｍ、幅が４μｍとなるように、上記ＥＬ発光手段３の作製工程中、透明樹脂層２３を作製した後、正極層２２以降の作製に先立って形成した。前記ルブレンは、ＥＬ発光手段３における発光層２０に生じたＥＬ光５を内部に導光すると共に、該ＥＬ光５よりも長波長（波長：５６０ｎｍ）の光８（黄色）を発光（変調）する。なお、図１では、導光部１は、基板７上に直接設けられていないように見えるが、この実施例においては、導光部１の下の非導光部２には光反射層２及び透明樹脂層２３が存在している。
【０１４０】
非導光部２は、基板７上に設けられた導光部１の表面を該基板７と共に覆うようにして、また、更にはＥＬ発光手段３（有機ＥＬ素子）及び後述する光取出部９の表面までも覆うようにして設けられている。非導光部２は、蒸着法により、ＬｉＦ（屈折率：１．３９）を用いて形成されている。なお、該非導光部２は、ＥＬ発光手段３（有機ＥＬ素子）の表面も覆っていることから、該ＥＬ発光手段３（有機ＥＬ素子）の保護層としても機能する。
非導光部２は、導光部１の外周近傍に、該導光部１の端部（外周）形状と同形状であり、発光層２０から放射されるＥＬ光５であって導光部１を透過したものを導光部１に向けて反射する光反射部材（銀（Ａｇ）で形成されたリング状構造反射膜）を有している。該光出射装置においては、発光層２０の端部（外周）から放射されるＥＬ光５のうち、導光部１に取り込まれず導光部１を透過したものが、導光部１に向けて反射されるため、発光層２０の端部（外周）から放射されるＥＬ光５の損失（例えば、接続損失）乃至減衰を生ずることなく効率的に導光部１によって導光される。
【０１４１】
光取出部９は、光導波路として機能し、光共振器となる導光部２から一部の光８を取り出し、出射光（出力光）１０を外部に出射（出力）する。光取出部９は、基板７上に、フォトリソグラフィー法により、光透過性ポリイミド（特開２０００−１９８８４２号公報参照（屈折率：１．６）を用い、厚みが４μｍ、幅が４μｍとなるように形成した。光取出部９は、導光部１に対し、光学的接続に必要な、光波長程度の間隔（５００ｎｍ）をもって配置されている。なお、光取出部９は、導光部１の形成と並行して行われる。
【０１４２】
この実施例の光出射装置においては、ＥＬ発光手段３が、発光層２０において生じたエレクトロルミネッセンス（ＥＬ）光５の約１００％が、その端部（外周）から放射される。このＥＬ光５は、前記光出射手段における前記導光部材における導光部１内に取り込まれる。このとき、導光部１と発光層２０とは光学的に接続されているため、該ＥＬ光５における、損失（接続損失、伝送損失など）乃至減衰が抑制乃至低減され、実質的な損失を伴うことなく、導光部１内に取り込まれる。そして、導光部１がループ状構造の線状導波路として設計されているので、ＥＬ発光手段３の発光層２０のサイズ（面積）を調節することにより、光取出部９の先端部から出射される出射光（出力光）１０の励起密度を所望の程度に調節することができ、該励起密度を十分に大きくすることができる。即ち、ＥＬ発光手段３における発光層２０に生ずるＥＬ光５の発光量は、該ＥＬ発光手段３における駆動電流密度を一定とすれば、ＥＬ発光手段３の半径の２乗に比例する、該ＥＬ発光手段３の発光層２０のサイズ（面積）に比例するのに対し、該ＥＬ発光手段３に対向して位置する（該ＥＬ発光手段３を取り囲むようにして位置する）前記線状導波路である導光部１の長さは、前記ＥＬ発光手段３の半径の１乗に比例するため、該ＥＬ発光手段３における発光層２０のサイズ（面積）が大きくなる程、前記線状導波路である導光部１における励起密度は単調に増加する。その結果、該光出射装置においては、ＥＬ発光手段３における発光層２０のサイズ（面積）を適宜調節することにより、光取出部９の先端部から出射される出射光（出力光）をレーザー光とする（レーザー発振させる）ことができる。
【０１４３】
また、該光出射装置においては、導光部１において、前記発光材料であるルブレンが前記ＥＬ光５を吸収して励起状態となり、基底状態に戻るときに発光する（前記ＥＬ光５が該ＥＬ光とは異波長の光８に変調乃至増幅される）。このため、外部に前記ＥＬ光５とは異波長の光１０が誘導放出（出射）される結果、出射光（出力光）１０の強度、明るさ等に優れる。なお、このとき、ＥＬ発光手段３における発光層２０に注入する電流注入量を増加していくと、発光層２０において生ずるＥＬ光５の強度乃至光量が増大するが、このＥＬ光５の強度乃至光量の増大に伴って前記発光材料であるルブレンの励起密度も増大する。そして、前記ルブレンの励起密度が閾値を超えると、レーザー発振が生ずる。このとき、該光出射装置からはレーザー光である出射光（出力光）１０が出射される。
【０１４４】
また、該光出射装置においては、導光部１がループ状構造を有するため、ＥＬ光５が導光部１内に導光された際、ＥＬ光５が導光部１内を周回する。そして、周回する光が、その位相と元の位相と一致する条件において共振が起こる結果、その共振条件の波長のレーザー光となり、該光出射装置からレーザー光が出射光（出力光）１０として出射される。
【０１４５】
また、該光出射装置においては、ＥＬ光５が、導光部１の周囲から外部に漏出しようとしても、導光部１と非導光部２との屈折率差により、導光部１の外側を覆う非導光部２に進入することなく、該導光部１と非導光部２との界面で反射されて導光部１内を進行する。このため、導光部１は光導波路として機能し、導光部１内を進行する光８の外部への漏出が効果的に抑制され、導光部１内に導光する光の損失（例えば、伝送損失）乃至減衰が低減乃至抑制され、光強度の大きな出射光（出力光）１０が出射可能である。
【０１４６】
以下、本発明の好ましい態様を付記すると、以下の通りである。
（付記１）  ＥＬ光を生ずる発光層、及び、該発光層を挟むようにして配置され、該発光層に生じたＥＬ光を透過させることなく遮光しかつ該ＥＬ光を前記発光層の端部のみから放射させる一対の遮光層とを少なくとも有してなるＥＬ発光手段と、
前記発光層の端部から放射される前記ＥＬ光を導光し、該ＥＬ光と同波長乃至異波長の光を出射する光出射手段と、
を有することを特徴とする光出射装置。
（付記２）  光出射手段が、発光層の端部から放射されるＥＬ光を導光する導光部材を備えた付記１から２のいずれかに記載の光出射装置。
（付記３）  導光部材が、導光部と非導光部とを有してなる付記２に記載の光出射装置。
（付記４）  導光部が、発光層から放射されるＥＬ光を吸収し発光を生ずる発光材料を含む付記３に記載の光出射装置。
（付記５）  導光部がループ状構造を有し、導光部材が光共振器として機能する付記２から４のいずれかに記載の光出射装置。
（付記６）  発光材料の吸収ピーク波長が、ＥＬ発光手段における発光層に生じたＥＬ光の発光ピーク波長に対し、±５０ｎｍに位置する付記５に記載の光出射装置。
（付記７）  発光材料が、導光部に均一に分散した付記５から６のいずれかに記載の光出射装置。
（付記８）  発光材料が、有機化合物である付記５から７のいずれかに記載の光出射装置。
（付記９）  非導光部の屈折率が、導光部の屈折率よりも低い付記４から８のいずれかに記載の光出射装置。
（付記１０）  導光部が非導光部に埋め込まれた付記４から９のいずれかに記載の光出射装置。
（付記１１）  導光部が、管状である付記４から１０のいずれかに記載の光出射装置。
（付記１２）  導光部の軸方向の断面形状が、略円形である付記４から１１のいずれかに記載の光出射装置。
（付記１３）  導光部が、発光層の外周近傍に配された付記４から１２のいずれかに記載の光出射装置。
（付記１４）  導光部材が、導光部の外周近傍に、発光層から放射されるＥＬ光であって前記導光部を透過したものを前記導光部に向けて反射する光反射部材を有してなる付記３から１３のいずれかに記載の光出射装置。
（付記１５）  光出射手段が、導光部から光を取り出す光取出部を有する付記１から１４のいずれかに記載の光出射装置。
（付記１６）  光出射手段から出射される出射光の波長が、３５０〜８００ｎｍである付記１から１５のいずれかに記載の光出射装置。
（付記１７）  ＥＬ発光手段がＥＬ素子である付記１から１６のいずれかに記載の光出射装置。
（付記１８）  一対の遮光層が、正極層、正孔注入層、正孔輸送層、電子ブロッキング層、正孔ブロッキング層、電子輸送層、電子注入層、負極層、保護層、及び光反射層から選択される２層である付記１から１７のいずれかに記載の光出射装置。
（付記１９）  ＥＬ発光手段が、正極層及び負極層を有してなり、一対の遮光層が光反射層であり、該光反射層が前記正極層及び前記負極層よりも外側に配された付記１から１８のいずれかに記載の光出射装置。
（付記２０）  ＥＬ発光を生ずる発光層の端部からＥＬ光を放射させるＥＬ光放射工程と、前記発光層から放射された前記ＥＬ光を導光し、該ＥＬ光と同波長乃至異波長の光を出射させる光出射工程とを含むことを特徴とする光出射方法。
【産業上の利用可能性】
【０１４７】
本発明の光出射装置及び光出射方法は、各種分野において好適に使用することができ、例えば、線状光乃至レーザー光を出射可能なレーザー装置、レーザーポインタ、などとして好適に使用することができる。
【図面の簡単な説明】
【０１４８】
【図１】図１は、本発明の光出射装置の断面概略説明図である。
【図２】図２は、図１に示す光出射装置の平面概略説明図である。
【図３】図３は、本発明の光出射装置におけるＥＬ光放射手段（ＥＬ素子）の一構造例を示す断面概略説明図である。
【図４】図４は、従来における光導波路型の有機ＥＬレーザー装置の一例を説明するための概略図である。
【符号の説明】
【０１４９】
１      導光部（光導波路）
２      非導光部
３      ＥＬ発光手段（ＥＬ素子）
４      導線
５      ＥＬ光
６      電源
７      基板
８      光
９      光取出部
１０    出射光（出力光）
１６    光反射層
１７    透明絶縁層
１８    負極層（陰極層）
１９    電子注入・輸送層
２０    発光層
２１    正孔注入・輸送層
２２    正極層（陽極層）
２３    透明絶縁層
２４    光反射層
２５    基板
２６    導体層（電極）
２７    有機発光層
２８    導体（電極）
２９    ＥＬ光
３０    クラッド層
３１    コア層（光導波層）
３２    クラッド層
３３    出力光
【図１】
2006278494.tif 000031
【図２】
2006278494.tif 000032
【図３】
2006278494.tif 000033
【図４】
2006278494.tif 000034